(57)【要約】【課題】格子における電位分布を均一化し、局所的な腐食を防止して、製品の長寿命化を図る。【解決手段】矩形状をなす枠骨２と、枠骨２の上辺部２ａから上方に形成された耳部２１と、枠骨２において耳部２１の下方に延びる１又は複数のメイン縦骨３Ｘと、少なくとも一部がメイン縦骨３Ｘから分岐し、メイン縦骨３Ｘを軸とした両側に向かい、且つ、上辺部２ａから下辺部２ｂに向かって斜めに延びる複数の斜め骨４とを有し、複数の斜め骨４が、メイン縦骨３Ｘの延在方向に間隔をあけて配置されており、メイン縦骨３Ｘを辺の一部として画定される複数の空間部の形状が、少なくとも一部において概略四角形である。【選択図】図１
2014038123.tif 000002
【特許請求の範囲】
【請求項１】
矩形状をなす枠骨と、
前記枠骨の第１辺部に接続されて枠外に突出した耳部と、
前記第１辺部の前記耳部との接続部から、前記第１辺部と対向する第２辺部まで延びるメイン骨と、
前記第１辺部から前記第２辺部まで延びるサブ骨と、
少なくとも前記メイン骨から両側に向かって分岐し、前記第２辺部側に向かって斜めに延びる複数の斜め骨とを有し、
前記複数の斜め骨が、前記メイン骨の延在方向に間隔をあけて配置されており、
前記メイン骨及び前記サブ骨を辺の一部として画定される複数の空間部の形状が、少なくとも一部において概略四角形である蓄電池用格子。
【請求項２】
前記複数の斜め骨の一部が、前記枠骨の前記第１辺部から分岐している請求項１記載の蓄電池用格子。
【請求項３】
前記複数の斜め骨の一部が、前記枠骨の前記第１辺部における前記耳部との接続部から分岐している請求項１又は２記載の蓄電池用格子。
【請求項４】
前記サブ骨は、前記枠骨の前記第１辺部の延在方向に間隔をあけて複数配置されており、
前記複数のサブ骨の間隔が、前記メイン骨から離れるに従って大きくなる請求項１乃至３の何れかに記載の蓄電池用格子。
【請求項５】
前記枠骨の前記第２辺部、前記サブ骨及び前記斜め骨を辺の一部として画定される複数の空間部の形状が、概略四角形である請求項４に記載の蓄電池用格子。
【請求項６】
前記メイン骨は、前記枠骨の前記第１辺部及び前記第２辺部に対して直交して配置されている請求項１乃至５の何れかに記載の蓄電池用格子。
【請求項７】
前記枠骨の前記第１辺部と略平行な横骨を有さない請求項１乃至６の何れかに記載の蓄電池用格子。
【請求項８】
前記複数の斜め骨のうち前記メイン骨から分岐した複数の斜め骨の間隔が、前記枠骨の前記第１辺部から離れるに従って大きくなる請求項１乃至７の何れかに記載の蓄電池用格子。
【請求項９】
前記複数の斜め骨のうち前記メイン骨から分岐した複数の斜め骨の、前記メイン骨に対する傾き角度が、前記枠骨の前記第１辺部から離れるに従って大きくなる１乃至８の何れかに記載の蓄電池用格子。
【請求項１０】
前記斜め骨の傾斜角度が、５度〜６０度である請求項１乃至９の何れかに記載の蓄電池用格子。
【請求項１１】
前記メイン骨が、平面視において、前記耳部から離れるに従って幅寸法が小さくなる形状である請求項１乃至１０の何れかに記載の蓄電池用格子。
【請求項１２】
前記枠骨の前記第１辺部が、平面視において、前記耳部に向かうに連れて幅寸法が大きくなる形状である請求項１乃至１１の何れかに記載の蓄電池用格子。
【請求項１３】
請求項１乃至１２の何れかに記載の蓄電池用格子を用いた蓄電池。
【請求項１４】
前記蓄電池用格子が、鉛合金からなる請求項１３記載の蓄電池。
【請求項１５】
前記蓄電池用格子が、打ち抜き加工により形成される請求項１３又は１４記載の蓄電池。
【請求項１６】
矩形状をなす枠骨を形成し、
前記枠骨の第１辺部に接続されて枠外に突出した耳部を形成し、
前記第１辺部の前記耳部との接続部から、前記第１辺部と対向する第２辺部まで延びるメイン骨を形成し、
前記第１辺部から前記第２辺部まで延びるサブ骨を形成し、
少なくとも前記メイン骨から両側に向かって分岐し、前記第２辺部側に向かって斜めに延びる複数の斜め骨を形成し、
前記複数の斜め骨を、前記メイン骨の延在方向に間隔をあけて配置し、
前記メイン骨及び前記サブ骨を辺の一部として画定される複数の空間部の形状を、少なくとも一部において概略四角形に形成する蓄電池用格子の製造方法。
【発明の詳細な説明】
【技術分野】
【０００１】
本発明は、蓄電池用格子、蓄電池用格子の製造方法及び蓄電池用格子を用いた蓄電池に関するものである。
【背景技術】
【０００２】
従来、蓄電池に用いられる格子として、特許文献１に示すように、鉛合金シートに例えば千鳥状にスリットを形成して引き伸ばしたエキスパンド格子（網目状格子）が用いられている。このエキスパンド格子は、耳部が形成された上部フレームと、当該上部フレームに対向する下部フレームと、前記上部フレーム及び下部フレームの間に形成された網目状桟とからなる。そして、上部フレーム、下部フレーム及び網目状桟により形成された桝目内に活物質が充填されることにより極板が構成される。【０００３】
しかしながら、このエキスパンド格子は、左右両側に上部フレームと下部フレームとを接続する枠骨が存在しないため、高さ方向に伸び易く、また平面方向において湾曲変形し易いため、活物質が脱落し易いという問題がある。また、エキスパンド格子の網目状桟は、下部フレームから上部フレームに向かってのこぎり刃状にジグザグであるため、耳部に至るまでの電流経路が長くなってしまい、電気抵抗が大きくなってしまう。これにより、極板全体における電位分布に不均衡が生じてしまい、局所的な腐食が生じ、極板の寿命が短くなってしまうという問題がある。【０００４】
また、蓄電池に用いられる格子として、特許文献２に示すように、方形状の枠骨内に、多数本の平行する横桟と、枠骨の上辺部に設けた耳部を中心として、放射状に延びる多数本の放射状桟とを有する鋳造格子が考えられている。ここで、放射状桟には分岐桟が設けられている。この分岐桟部は、前記放射状桟の基桟部に対し大きい角度で一旦側方に延びる分岐始端桟部と、当該分岐始端桟部に連続して放射方向に変角する屈曲始端桟部とを有する構成とされている。【０００５】
しかしながら、この鋳造格子は、分岐桟に沿った下方から上方に向かう経路において、耳部側を向かない部分（特に分岐始端桟部）を有するため、耳部に至るまでの電流経路が長くなってしまい、電気抵抗が大きくなってしまう。これにより、極板全体における電位分布に不均衡が生じてしまい、局所的な腐食が生じ、極板の寿命が短くなってしまうという問題がある。
【先行技術文献】
【特許文献】
【０００６】
【特許文献１】特開平７−３２０７４３号公報
【特許文献２】実公平８−２９２１号公報
【発明の概要】
【発明が解決しようとする課題】
【０００７】
そこで本発明は、格子の機械的強度を向上させるとともに、格子の電気抵抗を小さくして、格子における電位分布を均一化することをその主たる所期課題とするものである。
【課題を解決するための手段】
【０００８】
すなわち本発明に係る蓄電池用格子は、矩形状をなす枠骨と、前記枠骨の第１辺部に接続されて枠外に突出した耳部と、前記第１辺部の前記耳部との接続部から、前記第１辺部と対向する第２辺部まで延びるメイン骨と、前記第１辺部から前記第２辺部まで延びるサブ骨と、少なくとも前記メイン骨から両側に向かって分岐し、前記第２辺部側に向かって斜めに延びる複数の斜め骨とを有し、前記複数の斜め骨が、前記メイン骨の延在方向に間隔をあけて配置されており、前記メイン骨及び前記サブ骨を辺の一部として画定される複数の空間部の形状が、少なくとも一部において概略四角形であることを特徴とする。
また、本発明に係る蓄電池用格子の製造方法は、矩形状をなす枠骨を形成し、前記枠骨の第１辺部に接続されて枠外に突出した耳部を形成し、前記第１辺部の前記耳部との接続部から、前記第１辺部と対向する第２辺部まで延びるメイン骨を形成し、前記第１辺部から前記第２辺部まで延びるサブ骨を形成し、少なくとも前記メイン骨から両側に向かって分岐し、前記第２辺部側に向かって斜めに延びる複数の斜め骨を形成し、前記複数の斜め骨を、前記メイン骨の延在方向に間隔をあけて配置し、前記メイン骨及び前記サブ骨を辺の一部として画定される複数の空間部の形状を、少なくとも一部において概略四角形に形成することを特徴とする。【０００９】
このようなものであれば、枠骨の第１辺部における耳部との接続部から第２辺部まで延びるメイン骨を有しているので、耳部と枠骨の第２辺部との距離を短くすることができる。また、少なくともメイン骨から斜めに延びる複数の斜め骨及びサブ骨を有しているので、枠骨の第２辺部におけるメイン骨との接続部から離れた部分で生じた電流が耳部へ至る経路を短くすることができる。さらに、メイン骨とサブ骨と斜め骨とから画定される空間部の形状が概略四角形になっているので、概略三角形の場合と比較して、耳部から遠ざかる迂回経路を減らすことができる。したがって、格子全体において、電気抵抗を小さくすることができ、格子における電位分布を均一化することができる。また、矩形状をなす枠骨を有することから、機械的強度を向上させることができる。【００１０】
また、前記複数の斜め骨の一部が、前記枠骨の前記第１辺部から分岐していることが望ましい。これならば、メイン骨を軸とした両側で生じた電流の経路が斜め骨及び第1辺部から構成されて直線的になり、電流経路を短くして、格子の電気抵抗を小さくすることができる。【００１１】
また、前記複数の斜め骨の一部が、前記枠骨の前記第１辺部の前記耳部との接続部から分岐していることが望ましい。これならば、斜め骨を流れる電流をメイン骨を介さず短い距離で耳部に流すことができ、格子の電気抵抗をより小さくすることができる。【００１２】
前記サブ骨は、前記枠骨の前記第１辺部の延在方向に間隔をあけて複数配置されており、前記複数のサブ骨の間隔が、前記メイン骨から離れるに従って大きくなることが望ましい。これならば、集電された電気量に応じて最適なサブ骨の間隔とすることができる。これにより、格子の電位分布をより一層均一にすることができる。【００１３】
このとき、前記枠骨の前記第２辺部、前記サブ骨及び前記斜め骨を辺の一部として画定される複数の空間部の形状が、概略四角形であることが望ましい。これならば、格子の電気抵抗を増加させることなく、空間部の開口面積を増加させることができ、活物質ペーストの充填性を向上させることができる。【００１４】
また、前記メイン骨は、前記枠骨の前記第１辺部及び前記第２辺部に対して直交して配置されていることが望ましい。これならば、耳部と枠骨の第２辺部とを最短距離で結ぶことができ、格子の電気抵抗をより一層小さくすることができる。【００１５】
前記枠骨の前記第１辺部と略平行な横骨を有さないことが望ましい。これならば、メイン骨を軸とした両側で生じた電流の経路が第２辺部から第１辺部に向かう方向成分を含む経路のみとなるため、メイン骨又は耳部へ至る経路を短くすることができ、格子の電気抵抗を小さくすることができる。【００１６】
また、前記複数の斜め骨のうち前記メイン骨から分岐した複数の斜め骨の間隔が、前記枠骨の前記第１辺部から離れるに従って大きくなることが望ましい。これならば、集電された電気量に応じて最適な斜め骨の間隔とすることができる。これにより、格子の電位分布をより均一にすることができる。【００１７】
また、前記複数の斜め骨のうち前記メイン骨から分岐した複数の斜め骨の、前記メイン骨に対する傾き角度が、前記枠骨の前記第１辺部から離れるに従って大きくなることが望ましい。これならば、集電された電気量に応じて最適な斜め骨の傾き角度とすることができる。これにより、格子の電位分布をより一層均一にすることができる。【００１８】
前記斜め骨の傾斜角度が、５度〜６０度であることが望ましい。これならば、メイン骨に至る経路を短くすることができる。特に、斜め骨の傾斜角度が、４５度であることが望ましい。【００１９】
前記メイン骨が、平面視において、前記耳部から離れるに従って幅寸法が小さくなる形状であることが望ましい。これならば、集電された電気量に応じて最適なメイン骨形状とすることができる。すなわち、耳部から離れた部分であって、流れる電気量が小さい部分については幅寸法を小さくできる。したがって、格子材料を少なくして、コストを低減することができる。【００２０】
前記枠骨の前記第１辺部が、平面視において、前記耳部に向かうに連れて幅寸法が大きくなる形状であることが望ましい。これならば、格子の機械的強度を向上させることができるだけでなく、格子における電位分布をより均一にすることができる。【００２１】
また、本発明に係る蓄電池は、上述した何れかに記載の蓄電池用格子を用いたことを特徴とする。【００２２】
このようなものであれば、格子における電位分布を均一化することができ、高率放電性能を向上させることができる。また、機械的強度を向上させることができ、サイクル寿命性能を向上させることができる。【００２３】
前記蓄電池用格子が、鉛合金からなることが望ましい。これならば、本発明を鉛蓄電池の格子に適用することができる。【００２４】
前記蓄電池用格子が、打ち抜き加工により形成されることが好ましい。これならば、鋳造加工により形成された格子に比べて、格子の厚みを薄く（格子の質量を軽く）することができる。したがって、格子材料を減らして、コストを低減することができる。
【発明の効果】
【００２５】
このように構成した本発明によれば、矩形状の枠骨にメイン骨及び斜め骨を設ける構成であるため、格子の機械的強度を向上させることができる。また、本発明によれば、枠骨の第１辺部、及び、第１辺部における耳部との接続部から延びるメイン骨から斜めに分岐した複数の斜め骨を有するので、格子の電気抵抗を小さくして、格子における電位分布を均一化することができる。
【図面の簡単な説明】
【００２６】
【図１】本実施形態の鉛蓄電池用格子の斜視図。
【図２】同実施形態の鉛蓄電池用格子の平面図。
【図３】同実施形態の鉛蓄電池用格子の部分拡大図。
【図４】鉛蓄電池用格子の第１の変形例を示す平面図。
【図５】鉛蓄電池用格子の第２の変形例を示す平面図。
【図６】鉛蓄電池用格子の第３の変形例を示す平面図。
【図７】鉛蓄電池用格子の第４の変形例を示す平面図。
【図８】鉛蓄電池用格子の第５の変形例を示す平面図。
【図９】鉛蓄電池用格子の第６の変形例を示す平面図。
【図１０】鉛蓄電池用格子の第７の変形例を示す平面図。
【発明を実施するための形態】
【００２７】
以下に本発明に係る蓄電池用格子の一実施形態について図面を参照して説明する。なお、本実施形態においては、鉛蓄電池に用いられる格子を例に挙げて説明する。また、図１及び図２における紙面上下左右方向をそのまま上下左右方向と規定して説明する。
【００２８】
本実施形態の格子１は、鉛蓄電池の発電要素である電極群における正極板又は負極板の一部材として用いられるものである。なお、この格子１を正極板に用いる場合には、格子１に正極活物質（二酸化鉛）が充填されている。一方、この格子１を負極板に用いる場合には、格子１に負極活物質（海綿状鉛）が充填されている。
【００２９】
具体的に格子１は、鉛合金からなる圧延シートをパンチングにより打ち抜き加工して得られるものであり、図１及び図２に示すように、概略矩形状をなす枠骨２と、当該枠骨２の上辺部２ａ（第１辺部）から枠外である上方に突出して形成された耳部２１と、前記枠骨２内において上下方向に直線状に延び設けられた複数の縦骨３と、前記枠骨２内において傾斜して形成された複数の斜め骨４とを有する。また、本実施形態の格子１は、枠骨２の上辺部２ａと略平行な横骨を有さない構成としている。
【００３０】
具体的に、格子１は、複数の縦骨３のうち、上辺部２ａにおける耳部２１との接続部５直下から下方に延びる１又は複数（本実施形態では３本）の縦骨３からなるメイン縦骨３Ｘ（メイン骨）を有する。このメイン縦骨３Ｘは、枠骨２の上辺部２ａ及び当該上辺部２ａに対向する下辺部２ｂ（第２辺部）に略直交するものであり、平面視において、上方から下方に行くに従って幅寸法が小さくなる先細り形状である。これにより、集電された電気量に応じて最適な縦骨形状とすることができる。また、下方において幅寸法を小さくすることによって、極板材料を少なくすることができる。
【００３１】
また、メイン縦骨３Ｘの左右両側にある複数の縦骨３（サブ骨）は、上辺部２ａの左右方向（延在方向）に間隔をあけて配置されており、メイン縦骨３Ｘから左右両側に離れるに従って、その間隔が大きくなるように形成されている。また、メイン縦骨３Ｘの左右両側にある複数の縦骨３は、メイン縦骨３Ｘから離れるに従って、縦骨３の幅寸法が小さくなるように構成されている。これにより、集電された電気量に応じて最適な縦骨３の間隔とすることができる。その他、複数の縦骨３は、メイン縦骨３Ｘから離れるに従って、幅寸法が小さくなるように構成しても良い。
【００３２】
複数の斜め骨４は、少なくともメイン縦骨３Ｘから斜め下方に直線状に延びる斜め骨４を有している。つまり、複数の斜め骨４は、メイン縦骨３Ｘから分岐して斜め下方の延びる複数の斜め骨４（４ｍ）と、枠骨２の上辺部２ａから分岐して斜め下方に延びる複数の斜め骨４（４ｎ）とからなる。なお、斜め骨４の一部（本実施形態では２本）は、上辺部２ａにおける耳部２１との接続部５から分岐している。したがって、斜め骨４の上端部が、メイン縦骨３Ｘ又は枠骨２の上辺部２ａに接続されており、斜め骨４の下端部が、枠骨２の側辺部２ｃ、２ｄ又は下辺部２ｂに接続されている。つまり、斜め骨４の下端部は、枠骨２まで延びている。
【００３３】
そして、複数の斜め骨４は、平面視において、メイン縦骨３Ｘを中心に概略ハの字状に形成されており、少なくともメイン縦骨３Ｘから分岐してメイン縦骨３Ｘを軸とした左右両側に向かい、且つ、上辺部２ａから下辺部２ｂに向かって斜めに延びている。具体的には、複数の斜め骨４が、平面視において、上方に行くに従って、メイン縦骨３Ｘに寄るように傾斜した概略直線状をなすものである。そして、メイン縦骨３Ｘを辺の一部として確定される空間部の形状は、概略四角形となっている。このように、斜め骨４が概略直線状であるため、メイン縦骨３Ｘの左右両側で生じた電流の経路が直線的になりメイン縦骨３Ｘ又は上辺部２ａへの電流経路を短くすることができる。
【００３４】
詳細には、図３に示すように、メイン縦骨３Ｘの左側に形成された複数の斜め骨４は、メイン縦骨３Ｘの上下方向（延在方向）に間隔をあけて配置されており、メイン縦骨３Ｘに向かって４５度の傾斜角度で傾いている。また、メイン縦骨３Ｘの右側に形成された複数の斜め骨４は、メイン縦骨３Ｘの上下方向に間隔をあけて配置されており、メイン縦骨３Ｘに向かって４５度の傾斜角度で傾いている。さらに、メイン縦骨３Ｘにおいて、左側に形成された各斜め骨４（４ｍ）の上端部の接続点Ｐ１と、右側に形成された各斜め骨４（４ｍ）の上端部の接続点Ｐ２とは高さ方向において一致している。このような構成により、メイン縦骨３Ｘの左側の斜め骨４とメイン縦骨３Ｘの右側の斜め骨４とは、メイン縦骨３Ｘを中心として左右対称となる。
【００３５】
また、メイン縦骨３Ｘの左側に形成された複数の斜め骨４は、互いに略平行となるように形成されており、メイン縦骨３Ｘの右側に形成された複数の斜め骨４は、互いに略平行となるように形成されている。このように互いに略平行としているので、電位分布をより均一化させることができる。なお、隣接する斜め骨４の間隔は、同一としても良いし、複数の間隔としても良いし、下方に行くに従って間隔が大きくなるように構成しても良い。つまり、電位分布を均一とすべく、斜め骨４の間隔を異ならせても良い。
【００３６】
上述したように、本実施形態における格子１の構成は、矩形状をなす枠骨２と、枠骨２の上辺部２ａに接続されて枠外に突出した耳部２１と、上辺部２ａの耳部２１との接続部から、上辺部２ａと対向する下辺部２ｂまで垂直に延び、平面視において、耳部２１から離れるに従って幅寸法が小さくなる形状であるメイン縦骨３Ｘと、上辺部２ａから下辺部２ｂまで延び、枠骨２の上辺部２ａの延在方向に間隔をあけて配置され、その間隔がメイン縦骨３Ｘから離れるに従って大きくなる複数の縦骨３と、少なくともメイン縦骨３Ｘから両側に向かって分岐し、下辺部２ｂ側に向かって斜めに延び、その傾斜角度が５度〜６０度である複数の斜め骨４とを有し、前記複数の斜め骨４が、メイン縦骨３Ｘの延在方向に間隔をあけて配置されており、その一部の斜め骨４において枠骨２の上辺部２ａから分岐しており、さらに、一部の斜め骨４において枠骨２の上辺部２ａにおける耳部２１との接続部から分岐しており、メイン縦骨３Ｘ及び縦骨３を辺の一部として画定される複数の空間部の形状が、少なくとも一部において概略四角形であり、枠骨２の下辺部２ｂ、縦骨３及び斜め骨４を辺の一部として画定される複数の空間部の形状が、概略四角形である。さらに、複数の斜め骨４のうちメイン縦骨３Ｘから分岐した複数の斜め骨４の間隔が、枠骨２の上辺部２ａから離れるに従って大きくなっている。
【００３７】
次に、このように構成した格子１と、従来のエキスパンド格子との電位分布解析を行った結果を示す。従来のエキスパンド格子は、格子寸法［幅（ｍｍ）×高さ（ｍｍ）］を１３７．０×１１５．０とし、格子厚さ（ｍｍ）を１．００とし、格子質量（ｇ）を４２．０とした。また、本発明の鉛蓄電池用格子は、格子寸法［幅（ｍｍ）×高さ（ｍｍ）］を１３７．０×１１５．０とし、格子厚さ（ｍｍ）を０．８０とし、格子質量（ｇ）を４２．０とした。そして、従来のエキスパンド格子及び本発明の鉛蓄電池用格子の耳上端部に１Ａの電流を流して電位分布解析を行った。
【００３８】
このとき、従来のエキスパンド格子の下部フレームを基準（０Ｖ）とした電位ドロップ（電圧降下）量の割合を１００％とし、本発明の鉛蓄電池用格子の斜め骨の傾斜角度を０度から８０度まで変化させた場合において、本発明の鉛蓄電池用格子の下辺部を基準（０Ｖ）とした電位ドロップ量の割合及び電位分布の均一性を表１に示す。
【００３９】
【表１】
2014038123.tif 000003
※電位分布の均一性  ・・・  ◎：優、○：良、×：不可
【００４０】
本発明の鉛蓄電池用格子の電位ドロップ量の割合は、従来のエキスパンド格子の電位ドロップ量の割合に対して、４８〜５０％まで低下した。また、本発明の鉛蓄電池用格子の電位分布の均一性は、◎又は○（優又は良）で、従来のエキスパンド格子の電位分布の均一性の×（不可）よりも優れていた。このことから、本発明の鉛蓄電池用格子では、従来のエキスパンド格子に対して格子全体の電位分布が均一化されていることが分かった。さらに、本発明の鉛蓄電池用格子の斜め骨の傾斜角度が０度又は８０度の場合の格子全体の電位分布の均一性が○（良）に対して、本発明の鉛蓄電池用格子の斜め骨の傾斜角度が５度から６０度の範囲では、電位分布の均一性が◎（優）であった。このことから、本発明の鉛蓄電池用格子の斜め骨の傾斜角度が５度から６０度の範囲にあれば、電位分布がより一層均一化されることがわかった。
【００４１】
このように本発明の鉛蓄電池用格子を鉛蓄電池に用いることで、従来のエキスパンド格子と同程度の鉛質量とすれば、従来のエキスパンド格子を用いた場合よりも高率放電性能（コールドクランキング電流、低温ハイレート放電性能）を向上させることができる。一方で、本発明の鉛蓄電池用極板を鉛蓄電池に用いることで、従来のエキスパンド格子を用いた場合と同程度の高率放電性能（コールドクランキング電流、低温ハイレート放電性能）が、鉛質量の少ない極板によって実現することができる。
【００４２】
また、上述した従来のエキスパンド格子及び本発明の鉛蓄電池用格子の伸び解析を行った結果を表２に示す。
【００４３】
【表２】
2014038123.tif 000004
【００４４】
従来のエキスパンド格子の幅方向（左右方向）の格子伸び量の割合、及び高さ方向（上下方向）の格子伸び量の割合をそれぞれ１００％とすると、本発明の鉛蓄電池用格子においては、従来のエキスパンド格子に対して幅方向の格子伸び量の割合が５０％から８０％の範囲、高さ方向の格子伸び量の割合が４３％から５７％の範囲までそれぞれ低下した。このことから、本発明の鉛蓄電池用格子では、幅方向及び高さ方向ともに格子伸び量が低減されていることが分かった。したがって、本発明の格子を適用した鉛蓄電池は、ＪＩＳ５３０１で定められている軽負荷寿命試験に準じた周囲温度７５℃のサイクル寿命試験のサイクル数が増加するなど、サイクル寿命性能を向上させることができる。
【００４５】
このように構成した本実施形態に係る格子１によれば、耳部２１の下方にメイン縦骨３Ｘを有しているので、耳部２１と枠骨２の下辺部２ｂとを距離を短くすることができる。また、少なくともメイン縦骨３Ｘから斜め下方に延びる複数の斜め骨４を有しているので、メイン縦骨３Ｘの側方部分で生じた電流がメイン縦骨３Ｘ又は耳部２１へ至る経路を短くすることができる。さらに、複数の斜め骨４が、平面視においてメイン縦骨３Ｘを中心に概略ハの字状に形成されているので、メイン縦骨３Ｘの左右両側で生じた電流をメイン縦骨３Ｘ又は耳部２１へ至る経路を短くすることができる。さらに、メイン縦骨３Ｘと斜め骨４から画定される空間部の形状が概略四角形になっているので、三角形の場合と比較して、耳部２から遠ざかる迂回経路を減らすことができる。したがって、格子１全体において、電気抵抗を小さくすることができ、電極板における電位分布を均一化することができる。また、概略矩形状をなす枠骨２を有することから、機械的強度を向上させることができる。
【００４６】
また本実施形態の格子１は、複数の縦骨３及び複数の斜め骨４からなり、枠骨２の上辺部２ａと略平行な横骨を有さない構成であるので、メイン縦骨３Ｘの左右両側で生じた電流の経路が、縦骨３からなる上方へ向かう経路及び斜め骨４からなる斜め上方に向かう経路のみとなるため、メイン縦骨３Ｘ及び上辺部２ａを介して耳部２１へ至る経路を短くすることができ、電気抵抗を小さくすることができる。
【００４７】
また、格子１を打ち抜き加工により形成することで、鋳造加工により形成した場合に比べて、格子厚さをより薄く（格子質量をより軽く）することができる。したがって、格子材料を少なくして、コストを低減することができる。この格子厚さに差が生じる理由は、金属組織が異なることによる腐食形態の違いが挙げられる。一般的に、鋳造格子は、結晶粒が大きく、腐食が結晶粒界に入り込むように進行するため、腐食率が小さいうちに破断する特性がある。一方、圧延シートを打ち抜いて作製した打ち抜き格子は、スラブ作製後に圧延加工が入ることによって、スラブ中の大きな結晶粒が圧延方向に引き伸ばされ、格子を破断させるような結晶粒界がなくなって、腐食は格子表面から順次進む特性がある。この特性によって、圧延シートから作製する打ち抜き格子は、鋳造格子と比較して、格子厚さをより薄くすることができる。
【００４８】
なお、格子１は、打ち抜き加工や鋳造方法により、以下のように製造される。矩形状をなす枠骨を形成し、前記枠骨の第１辺部に接続されて枠外に突出した耳部を形成し、前記第１辺部の前記耳部との接続部から、前記第１辺部と対向する第２辺部まで延びるメイン骨を形成し、前記第１辺部から前記第２辺部まで延びるサブ骨を形成し、少なくとも前記メイン骨から両側に向かって分岐し、前記第２辺部側に向かって斜めに延びる複数の斜め骨を形成し、前記複数の斜め骨を、前記メイン骨の延在方向に間隔をあけて配置し、前記メイン骨及び前記サブ骨を辺の一部として画定される複数の空間部の形状を、少なくとも一部において概略四角形に形成する。
【００４９】
なお、本発明は前記実施形態に限られるものではない。
例えば、前記実施形態では、メイン縦骨３Ｘが１本の縦骨３であり、当該メイン縦骨３Ｘから複数の斜め骨４が延びる構成とされているが、図４に示すように、メイン縦骨３Ｘを複数（図４では２本）の縦骨３として、これら複数のメイン縦骨３Ｘから複数の斜め骨４が延びる構成としても良い。
【００５０】
また、図５に示すように、枠骨２の上辺部２ａが、平面視において、耳部２１に向かうに連れて高さ寸法が大きくなる形状としても良い。具体的には、枠骨２の上辺部２ａの下面が、両端部から耳部２１に向かうに連れて下側に傾斜した概略Ｖ字状をなすものである。これにより、格子１の機械的強度を向上させることができるだけでなく、電極板における電位分布をより均一にすることができる。
【００５１】
また、メイン縦骨３Ｘだけでなく、その他の縦骨３も上方から下方に行くに従って幅寸法が小さくなる形状としても良い。なお、図５においては、メイン縦骨３Ｘの左右両側各３本の縦骨３を上方から下方に行くに従って幅寸法が小さくなる形状とした場合を示している。
【００５２】
さらに、前記実施形態では、メイン縦骨３Ｘの左側の複数の斜め骨４の傾斜角度（例えば４５度）及びメイン縦骨３Ｘの右側の複数の斜め骨４の傾斜角度（例えば４５度）が同じであったが、左右両側で斜め骨４の傾斜角度を異ならせるようにしても良い。つまり、例えばメイン縦骨３Ｘの左側の複数の斜め骨４の傾斜角度を４５度として、メイン縦骨３Ｘの右側の複数の斜め骨４の傾斜角度を６０度としても良い。
【００５３】
加えて、前記実施形態では、斜め骨４の傾斜角度が４５度であったが、その他の傾斜角度であっても良い。図６に示すように、斜め骨４の傾斜角度が図６の左右方向に対して５度（メイン縦骨３Ｘに対して８５度）であっても良いし、図７に示すように、傾斜角度が６０度（メイン縦骨に対して３０度）であっても良い。
【００５４】
その上、前記実施形態では、左右両側の斜め骨４の接続部が高さ方向において同一であったが、図８及び図９に示すように、高さ方向においてずれていても良い。
【００５５】
また、前記実施形態では、全ての斜め骨４が、枠骨２の下辺部２ｂ又は側辺部２ｃ、２ｄに接続されていたが、一部の斜め骨４が、枠骨２の下辺部２ｂ又は側辺部２ｃ、２ｄに接続されない構成としても良い。例えば、図１０に示すように、複数の斜め骨４のうち、直線的に延在したときに、枠骨２の側辺部２ｃ、２ｄと交わるものは、前記実施形態と同様に、側辺部２ｃ、２ｄと接続される。一方で、複数の斜め骨４のうち、直線的に延在したときに、枠骨２の下辺部２ｂと交わるものは、下辺部２ｂと交わる直前又はそれ以前の縦骨３と接続され、下辺部２ｂと交わる直前又はそれ以前の縦骨３に斜め骨４の端部４ｅが形成される。この場合、下辺部２ｂを辺の一部として画定される複数の空間部の形状は概略四角形となる。そして、メイン縦骨３Ｘから分岐した複数の斜め骨４ｍの、メイン縦骨３Ｘに対する傾き角度は、枠骨２の上辺部２ａから離れるに従って大きくなっている。図１０に示す格子では、上辺部２ａに最も近い斜め骨４ｍの傾き角度が３０度（メイン縦骨３Ｘに対して６０度）であり、最も離れた斜め骨４ｍの傾き角度が２０度（メイン縦骨３Ｘに対して７０度）となっている。これならば、集電された電気量に応じて最適な斜め骨４ｍの傾き角度とすることができる。これにより、格子１の電位分布をより一層均一にすることができるとともに、格子への活物質の充填性をより一層向上させることができる。
【００５６】
また、前記実施形態では、メイン縦骨３Ｘから斜め下方の延びる複数の斜め骨４（４ｍ）と、枠骨２の上辺部２ａから斜め下方に延びる複数の斜め骨４（４ｎ）とを有しているが、上辺部２ａから斜め下方に延びる複数の斜め骨４（４ｎ）を有さないものであっても良い。
【００５７】
また、前記実施形態では、鉛蓄電池に用いられる格子を例に挙げて説明したが、これに限られず、ニッケル水素電池など活物質を充填する格子に適用することができる。
【００５８】
さらに、前記実施形態では、格子１は、打ち抜き加工により形成されていたが、鋳造加工により形成されてもよい。
【００５９】
加えて、前記実施形態の格子は、枠骨の四辺のうち上辺部を第１辺部、下辺部を第２辺部として構成したものであったが、枠骨の四辺のうち左右側辺部の一方を第１辺部、他方を第２辺部として構成したものであっても良い。
【００６０】
その他、本発明は前記実施形態に限られず、その趣旨を逸脱しない範囲で種々の変形が可能である。
【符号の説明】
【００６１】
１・・・格子
２・・・枠骨
２ａ・・・上辺部
２ｂ・・・下辺部
２１・・・耳部
３・・・縦骨
３Ｘ・・・メイン縦骨
４・・・斜め骨
５・・・接続部
【図１】
2014038123.tif 000005
【図２】
2014038123.tif 000006
【図３】
2014038123.tif 000007
【図４】
2014038123.tif 000008
【図５】
2014038123.tif 000009
【図６】
2014038123.tif 000010
【図７】
2014038123.tif 000011
【図８】
2014038123.tif 000012
【図９】
2014038123.tif 000013
【図１０】
2014038123.tif 000014
【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
矩形状をなす枠骨と、
前記枠骨の第１辺部に接続されて枠外に突出した耳部と、
前記第１辺部の前記耳部との接続部から、前記第１辺部と対向する第２辺部まで延びるメイン骨と、
前記第１辺部から前記第２辺部まで延びるサブ骨と、
少なくとも一部は前記メイン骨から両側に向かって分岐し、前記第２辺部側に向かって斜めに延びる複数の斜め骨とを有し、
前記複数の斜め骨が、前記メイン骨の延在方向に間隔をあけて配置されており、
前記メイン骨及び前記サブ骨を辺の一部として画定される複数の空間部の形状が、少なくとも一部において概略四角形である蓄電池用格子。
【請求項２】
前記複数の斜め骨の一部が、前記枠骨の前記第１辺部から分岐している請求項１記載の蓄電池用格子。
【請求項３】
前記複数の斜め骨の一部が、前記枠骨の前記第１辺部における前記耳部との接続部から分岐している請求項１又は２記載の蓄電池用格子。
【請求項４】
前記サブ骨は、前記枠骨の前記第１辺部の延在方向に間隔をあけて複数配置されており、
前記複数のサブ骨の間隔が、前記メイン骨から離れるに従って大きくなる請求項１乃至３の何れかに記載の蓄電池用格子。
【請求項５】
前記枠骨の前記第２辺部、前記サブ骨及び前記斜め骨を辺の一部として画定される複数の空間部の形状が、概略四角形である請求項４に記載の蓄電池用格子。
【請求項６】
前記メイン骨は、前記枠骨の前記第１辺部及び前記第２辺部に対して直交して配置されている請求項１乃至５の何れかに記載の蓄電池用格子。
【請求項７】
前記枠骨の前記第１辺部と略平行な横骨を有さない請求項１乃至６の何れかに記載の蓄電池用格子。
【請求項８】
前記複数の斜め骨のうち前記メイン骨から分岐した複数の斜め骨の間隔が、前記枠骨の前記第１辺部から離れるに従って大きくなる請求項１乃至７の何れかに記載の蓄電池用格子。
【請求項９】
前記複数の斜め骨のうち前記メイン骨から分岐した複数の斜め骨の、前記メイン骨に対する傾き角度が、前記枠骨の前記第１辺部から離れるに従って大きくなる１乃至８の何れかに記載の蓄電池用格子。
【請求項１０】
前記斜め骨の傾斜角度が、５度〜６０度である請求項１乃至９の何れかに記載の蓄電池用格子。
【請求項１１】
前記メイン骨が、平面視において、前記耳部から離れるに従って幅寸法が小さくなる形状である請求項１乃至１０の何れかに記載の蓄電池用格子。
【請求項１２】
前記枠骨の前記第１辺部が、平面視において、前記耳部に向かうに連れて幅寸法が大きくなる形状である請求項１乃至１１の何れかに記載の蓄電池用格子。
【請求項１３】
請求項１乃至１２の何れかに記載の蓄電池用格子を用いた蓄電池。
【請求項１４】
前記蓄電池用格子が、鉛合金からなる請求項１３記載の蓄電池。
【請求項１５】
前記蓄電池用格子が、打ち抜き加工により形成される請求項１３又は１４記載の蓄電池。
【請求項１６】
矩形状をなす枠骨を形成し、
前記枠骨の第１辺部に接続されて枠外に突出した耳部を形成し、
前記第１辺部の前記耳部との接続部から、前記第１辺部と対向する第２辺部まで延びるメイン骨を形成し、
前記第１辺部から前記第２辺部まで延びるサブ骨を形成し、
少なくとも一部は前記メイン骨から両側に向かって分岐し、前記第２辺部側に向かって斜めに延びる複数の斜め骨を形成し、
前記複数の斜め骨を、前記メイン骨の延在方向に間隔をあけて配置し、
前記メイン骨及び前記サブ骨を辺の一部として画定される複数の空間部の形状を、少なくとも一部において概略四角形に形成する蓄電池用格子の製造方法。
【手続補正２】
【補正対象書類名】明細書
【補正対象項目名】全文
【補正方法】変更
【補正の内容】
【書類名】明細書
【発明の名称】蓄電池用格子、蓄電池用格子の製造方法及び蓄電池用格子を用いた蓄電池
【技術分野】
【０００１】
本発明は、蓄電池用格子、蓄電池用格子の製造方法及び蓄電池用格子を用いた蓄電池に関するものである。
【背景技術】
【０００２】
従来、蓄電池に用いられる格子として、特許文献１に示すように、鉛合金シートに例えば千鳥状にスリットを形成して引き伸ばしたエキスパンド格子（網目状格子）が用いられている。このエキスパンド格子は、耳部が形成された上部フレームと、当該上部フレームに対向する下部フレームと、前記上部フレーム及び下部フレームの間に形成された網目状桟とからなる。そして、上部フレーム、下部フレーム及び網目状桟により形成された桝目内に活物質が充填されることにより極板が構成される。
【０００３】
しかしながら、このエキスパンド格子は、左右両側に上部フレームと下部フレームとを接続する枠骨が存在しないため、高さ方向に伸び易く、また平面方向において湾曲変形し易いため、活物質が脱落し易いという問題がある。また、エキスパンド格子の網目状桟は、下部フレームから上部フレームに向かってのこぎり刃状にジグザグであるため、耳部に至るまでの電流経路が長くなってしまい、電気抵抗が大きくなってしまう。これにより、極板全体における電位分布に不均衡が生じてしまい、局所的な腐食が生じ、極板の寿命が短くなってしまうという問題がある。
【０００４】
また、蓄電池に用いられる格子として、特許文献２に示すように、方形状の枠骨内に、多数本の平行する横桟と、枠骨の上辺部に設けた耳部を中心として、放射状に延びる多数本の放射状桟とを有する鋳造格子が考えられている。ここで、放射状桟には分岐桟が設けられている。この分岐桟部は、前記放射状桟の基桟部に対し大きい角度で一旦側方に延びる分岐始端桟部と、当該分岐始端桟部に連続して放射方向に変角する屈曲始端桟部とを有する構成とされている。
【０００５】
しかしながら、この鋳造格子は、分岐桟に沿った下方から上方に向かう経路において、耳部側を向かない部分（特に分岐始端桟部）を有するため、耳部に至るまでの電流経路が長くなってしまい、電気抵抗が大きくなってしまう。これにより、極板全体における電位分布に不均衡が生じてしまい、局所的な腐食が生じ、極板の寿命が短くなってしまうという問題がある。
【先行技術文献】
【特許文献】
【０００６】
【特許文献１】  特開平７−３２０７４３号公報
【特許文献２】  実公平８−２９２１号公報
【発明の概要】
【発明が解決しようとする課題】
【０００７】
そこで本発明は、格子の機械的強度を向上させるとともに、格子の電気抵抗を小さくして、格子における電位分布を均一化することをその主たる所期課題とするものである。
【課題を解決するための手段】
【０００８】
すなわち本発明に係る蓄電池用格子は、矩形状をなす枠骨と、前記枠骨の第１辺部に接続されて枠外に突出した耳部と、前記第１辺部の前記耳部との接続部から、前記第１辺部と対向する第２辺部まで延びるメイン骨と、前記第１辺部から前記第２辺部まで延びるサブ骨と、少なくとも一部は前記メイン骨から両側に向かって分岐し、前記第２辺部側に向かって斜めに延びる複数の斜め骨とを有し、前記複数の斜め骨が、前記メイン骨の延在方向に間隔をあけて配置されており、前記メイン骨及び前記サブ骨を辺の一部として画定される複数の空間部の形状が、少なくとも一部において概略四角形であることを特徴とする。
また、本発明に係る蓄電池用格子の製造方法は、矩形状をなす枠骨を形成し、前記枠骨の第１辺部に接続されて枠外に突出した耳部を形成し、前記第１辺部の前記耳部との接続部から、前記第１辺部と対向する第２辺部まで延びるメイン骨を形成し、前記第１辺部から前記第２辺部まで延びるサブ骨を形成し、少なくとも一部は前記メイン骨から両側に向かって分岐し、前記第２辺部側に向かって斜めに延びる複数の斜め骨を形成し、前記複数の斜め骨を、前記メイン骨の延在方向に間隔をあけて配置し、前記メイン骨及び前記サブ骨を辺の一部として画定される複数の空間部の形状を、少なくとも一部において概略四角形に形成することを特徴とする。
【０００９】
このようなものであれば、枠骨の第１辺部における耳部との接続部から第２辺部まで延びるメイン骨を有しているので、耳部と枠骨の第２辺部との距離を短くすることができる。また、少なくとも一部はメイン骨から斜めに延びる複数の斜め骨及びサブ骨を有しているので、枠骨の第２辺部におけるメイン骨との接続部から離れた部分で生じた電流が耳部へ至る経路を短くすることができる。さらに、メイン骨とサブ骨と斜め骨とから画定される空間部の形状が概略四角形になっているので、概略三角形の場合と比較して、耳部から遠ざかる迂回経路を減らすことができる。したがって、格子全体において、電気抵抗を小さくすることができ、格子における電位分布を均一化することができる。また、矩形状をなす枠骨を有することから、機械的強度を向上させることができる。
【００１０】
また、前記複数の斜め骨の一部が、前記枠骨の前記第１辺部から分岐していることが望ましい。これならば、メイン骨を軸とした両側で生じた電流の経路が斜め骨及び第1辺部から構成されて直線的になり、電流経路を短くして、格子の電気抵抗を小さくすることができる。
【００１１】
また、前記複数の斜め骨の一部が、前記枠骨の前記第１辺部の前記耳部との接続部から分岐していることが望ましい。これならば、斜め骨を流れる電流をメイン骨を介さず短い距離で耳部に流すことができ、格子の電気抵抗をより小さくすることができる。
【００１２】
前記サブ骨は、前記枠骨の前記第１辺部の延在方向に間隔をあけて複数配置されており、前記複数のサブ骨の間隔が、前記メイン骨から離れるに従って大きくなることが望ましい。これならば、集電された電気量に応じて最適なサブ骨の間隔とすることができる。これにより、格子の電位分布をより一層均一にすることができる。
【００１３】
このとき、前記枠骨の前記第２辺部、前記サブ骨及び前記斜め骨を辺の一部として画定される複数の空間部の形状が、概略四角形であることが望ましい。これならば、格子の電気抵抗を増加させることなく、空間部の開口面積を増加させることができ、活物質ペーストの充填性を向上させることができる。
【００１４】
また、前記メイン骨は、前記枠骨の前記第１辺部及び前記第２辺部に対して直交して配置されていることが望ましい。これならば、耳部と枠骨の第２辺部とを最短距離で結ぶことができ、格子の電気抵抗をより一層小さくすることができる。
【００１５】
前記枠骨の前記第１辺部と略平行な横骨を有さないことが望ましい。これならば、メイン骨を軸とした両側で生じた電流の経路が第２辺部から第１辺部に向かう方向成分を含む経路のみとなるため、メイン骨又は耳部へ至る経路を短くすることができ、格子の電気抵抗を小さくすることができる。
【００１６】
また、前記複数の斜め骨のうち前記メイン骨から分岐した複数の斜め骨の間隔が、前記枠骨の前記第１辺部から離れるに従って大きくなることが望ましい。これならば、集電された電気量に応じて最適な斜め骨の間隔とすることができる。これにより、格子の電位分布をより均一にすることができる。
【００１７】
また、前記複数の斜め骨のうち前記メイン骨から分岐した複数の斜め骨の、前記メイン骨に対する傾き角度が、前記枠骨の前記第１辺部から離れるに従って大きくなることが望ましい。これならば、集電された電気量に応じて最適な斜め骨の傾き角度とすることができる。これにより、格子の電位分布をより一層均一にすることができる。
【００１８】
前記斜め骨の傾斜角度が、５度〜６０度であることが望ましい。これならば、メイン骨に至る経路を短くすることができる。特に、斜め骨の傾斜角度が、４５度であることが望ましい。
【００１９】
前記メイン骨が、平面視において、前記耳部から離れるに従って幅寸法が小さくなる形状であることが望ましい。これならば、集電された電気量に応じて最適なメイン骨形状とすることができる。すなわち、耳部から離れた部分であって、流れる電気量が小さい部分については幅寸法を小さくできる。したがって、格子材料を少なくして、コストを低減することができる。
【００２０】
前記枠骨の前記第１辺部が、平面視において、前記耳部に向かうに連れて幅寸法が大きくなる形状であることが望ましい。これならば、格子の機械的強度を向上させることができるだけでなく、格子における電位分布をより均一にすることができる。
【００２１】
また、本発明に係る蓄電池は、上述した何れかに記載の蓄電池用格子を用いたことを特徴とする。
【００２２】
このようなものであれば、格子における電位分布を均一化することができ、高率放電性能を向上させることができる。また、機械的強度を向上させることができ、サイクル寿命性能を向上させることができる。
【００２３】
前記蓄電池用格子が、鉛合金からなることが望ましい。これならば、本発明を鉛蓄電池の格子に適用することができる。
【００２４】
前記蓄電池用格子が、打ち抜き加工により形成されることが好ましい。これならば、鋳造加工により形成された格子に比べて、格子の厚みを薄く（格子の質量を軽く）することができる。したがって、格子材料を減らして、コストを低減することができる。
【発明の効果】
【００２５】
このように構成した本発明によれば、矩形状の枠骨にメイン骨及び斜め骨を設ける構成であるため、格子の機械的強度を向上させることができる。また、本発明によれば、枠骨の第１辺部、及び、第１辺部における耳部との接続部から延びるメイン骨から斜めに分岐した複数の斜め骨を有するので、格子の電気抵抗を小さくして、格子における電位分布を均一化することができる。
【図面の簡単な説明】
【００２６】
【図１】  本実施形態の鉛蓄電池用格子の斜視図。
【図２】  同実施形態の鉛蓄電池用格子の平面図。
【図３】  同実施形態の鉛蓄電池用格子の部分拡大図。
【図４】  鉛蓄電池用格子の第１の変形例を示す平面図。
【図５】  鉛蓄電池用格子の第２の変形例を示す平面図。
【図６】  鉛蓄電池用格子の第３の変形例を示す平面図。
【図７】  鉛蓄電池用格子の第４の変形例を示す平面図。
【図８】  鉛蓄電池用格子の第５の変形例を示す平面図。
【図９】  鉛蓄電池用格子の第６の変形例を示す平面図。
【図１０】  鉛蓄電池用格子の第７の変形例を示す平面図。
【発明を実施するための形態】
【００２７】
以下に本発明に係る蓄電池用格子の一実施形態について図面を参照して説明する。なお、本実施形態においては、鉛蓄電池に用いられる格子を例に挙げて説明する。また、図１及び図２における紙面上下左右方向をそのまま上下左右方向と規定して説明する。
【００２８】
本実施形態の格子１は、鉛蓄電池の発電要素である電極群における正極板又は負極板の一部材として用いられるものである。なお、この格子１を正極板に用いる場合には、格子１に正極活物質（二酸化鉛）が充填されている。一方、この格子１を負極板に用いる場合には、格子１に負極活物質（海綿状鉛）が充填されている。
【００２９】
具体的に格子１は、鉛合金からなる圧延シートをパンチングにより打ち抜き加工して得られるものであり、図１及び図２に示すように、概略矩形状をなす枠骨２と、当該枠骨２の上辺部２ａ（第１辺部）から枠外である上方に突出して形成された耳部２１と、前記枠骨２内において上下方向に直線状に延び設けられた複数の縦骨３と、前記枠骨２内において傾斜して形成された複数の斜め骨４とを有する。また、本実施形態の格子１は、枠骨２の上辺部２ａと略平行な横骨を有さない構成としている。
【００３０】
具体的に、格子１は、複数の縦骨３のうち、上辺部２ａにおける耳部２１との接続部５直下から下方に延びる１又は複数（本実施形態では３本）の縦骨３からなるメイン縦骨３Ｘ（メイン骨）を有する。このメイン縦骨３Ｘは、枠骨２の上辺部２ａ及び当該上辺部２ａに対向する下辺部２ｂ（第２辺部）に略直交するものであり、平面視において、上方から下方に行くに従って幅寸法が小さくなる先細り形状である。これにより、集電された電気量に応じて最適な縦骨形状とすることができる。また、下方において幅寸法を小さくすることによって、極板材料を少なくすることができる。
【００３１】
また、メイン縦骨３Ｘの左右両側にある複数の縦骨３（サブ骨）は、上辺部２ａの左右方向（延在方向）に間隔をあけて配置されており、メイン縦骨３Ｘから左右両側に離れるに従って、その間隔が大きくなるように形成されている。また、メイン縦骨３Ｘの左右両側にある複数の縦骨３は、メイン縦骨３Ｘから離れるに従って、縦骨３の幅寸法が小さくなるように構成されている。これにより、集電された電気量に応じて最適な縦骨３の間隔とすることができる。その他、複数の縦骨３は、メイン縦骨３Ｘから離れるに従って、幅寸法が小さくなるように構成しても良い。
【００３２】
複数の斜め骨４は、少なくともメイン縦骨３Ｘから斜め下方に直線状に延びる斜め骨４を有している。つまり、複数の斜め骨４は、メイン縦骨３Ｘから分岐して斜め下方の延びる複数の斜め骨４（４ｍ）と、枠骨２の上辺部２ａから分岐して斜め下方に延びる複数の斜め骨４（４ｎ）とからなる。なお、斜め骨４の一部（本実施形態では２本）は、上辺部２ａにおける耳部２１との接続部５から分岐している。したがって、斜め骨４の上端部が、メイン縦骨３Ｘ又は枠骨２の上辺部２ａに接続されており、斜め骨４の下端部が、枠骨２の側辺部２ｃ、２ｄ又は下辺部２ｂに接続されている。つまり、斜め骨４の下端部は、枠骨２まで延びている。
【００３３】
そして、複数の斜め骨４は、平面視において、メイン縦骨３Ｘを中心に概略ハの字状に形成されており、少なくともメイン縦骨３Ｘから分岐してメイン縦骨３Ｘを軸とした左右両側に向かい、且つ、上辺部２ａから下辺部２ｂに向かって斜めに延びている。具体的には、複数の斜め骨４が、平面視において、上方に行くに従って、メイン縦骨３Ｘに寄るように傾斜した概略直線状をなすものである。そして、メイン縦骨３Ｘを辺の一部として確定される空間部の形状は、概略四角形となっている。このように、斜め骨４が概略直線状であるため、メイン縦骨３Ｘの左右両側で生じた電流の経路が直線的になりメイン縦骨３Ｘ又は上辺部２ａへの電流経路を短くすることができる。
【００３４】
詳細には、図３に示すように、メイン縦骨３Ｘの左側に形成された複数の斜め骨４は、メイン縦骨３Ｘの上下方向（延在方向）に間隔をあけて配置されており、メイン縦骨３Ｘに向かって４５度の傾斜角度で傾いている。また、メイン縦骨３Ｘの右側に形成された複数の斜め骨４は、メイン縦骨３Ｘの上下方向に間隔をあけて配置されており、メイン縦骨３Ｘに向かって４５度の傾斜角度で傾いている。さらに、メイン縦骨３Ｘにおいて、左側に形成された各斜め骨４（４ｍ）の上端部の接続点Ｐ１と、右側に形成された各斜め骨４（４ｍ）の上端部の接続点Ｐ２とは高さ方向において一致している。このような構成により、メイン縦骨３Ｘの左側の斜め骨４とメイン縦骨３Ｘの右側の斜め骨４とは、メイン縦骨３Ｘを中心として左右対称となる。
【００３５】
また、メイン縦骨３Ｘの左側に形成された複数の斜め骨４は、互いに略平行となるように形成されており、メイン縦骨３Ｘの右側に形成された複数の斜め骨４は、互いに略平行となるように形成されている。このように互いに略平行としているので、電位分布をより均一化させることができる。なお、隣接する斜め骨４の間隔は、同一としても良いし、複数の間隔としても良いし、下方に行くに従って間隔が大きくなるように構成しても良い。つまり、電位分布を均一とすべく、斜め骨４の間隔を異ならせても良い。
【００３６】
上述したように、本実施形態における格子１の構成は、矩形状をなす枠骨２と、枠骨２の上辺部２ａに接続されて枠外に突出した耳部２１と、上辺部２ａの耳部２１との接続部から、上辺部２ａと対向する下辺部２ｂまで垂直に延び、平面視において、耳部２１から離れるに従って幅寸法が小さくなる形状であるメイン縦骨３Ｘと、上辺部２ａから下辺部２ｂまで延び、枠骨２の上辺部２ａの延在方向に間隔をあけて配置され、その間隔がメイン縦骨３Ｘから離れるに従って大きくなる複数の縦骨３と、少なくともメイン縦骨３Ｘから両側に向かって分岐し、下辺部２ｂ側に向かって斜めに延び、その傾斜角度が５度〜６０度である複数の斜め骨４とを有し、前記複数の斜め骨４が、メイン縦骨３Ｘの延在方向に間隔をあけて配置されており、その一部の斜め骨４において枠骨２の上辺部２ａから分岐しており、さらに、一部の斜め骨４において枠骨２の上辺部２ａにおける耳部２１との接続部から分岐しており、メイン縦骨３Ｘ及び縦骨３を辺の一部として画定される複数の空間部の形状が、少なくとも一部において概略四角形であり、枠骨２の下辺部２ｂ、縦骨３及び斜め骨４を辺の一部として画定される複数の空間部の形状が、概略四角形である。さらに、複数の斜め骨４のうちメイン縦骨３Ｘから分岐した複数の斜め骨４の間隔が、枠骨２の上辺部２ａから離れるに従って大きくなっている。
【００３７】
次に、このように構成した格子１と、従来のエキスパンド格子との電位分布解析を行った結果を示す。従来のエキスパンド格子は、格子寸法［幅（ｍｍ）×高さ（ｍｍ）］を１３７．０×１１５．０とし、格子厚さ（ｍｍ）を１．００とし、格子質量（ｇ）を４２．０とした。また、本発明の鉛蓄電池用格子は、格子寸法［幅（ｍｍ）×高さ（ｍｍ）］を１３７．０×１１５．０とし、格子厚さ（ｍｍ）を０．８０とし、格子質量（ｇ）を４２．０とした。そして、従来のエキスパンド格子及び本発明の鉛蓄電池用格子の耳上端部に１Ａの電流を流して電位分布解析を行った。
【００３８】
このとき、従来のエキスパンド格子の下部フレームを基準（０Ｖ）とした電位ドロップ（電圧降下）量の割合を１００％とし、本発明の鉛蓄電池用格子の斜め骨の傾斜角度を０度から８０度まで変化させた場合において、本発明の鉛蓄電池用格子の下辺部を基準（０Ｖ）とした電位ドロップ量の割合及び電位分布の均一性を表１に示す。
【表１】
【００３９】
2014038123.tif 000015
※電位分布の均一性・・・  ◎：優、○：良、×：不可
【００４０】
本発明の鉛蓄電池用格子の電位ドロップ量の割合は、従来のエキスパンド格子の電位ドロップ量の割合に対して、４８〜５０％まで低下した。また、本発明の鉛蓄電池用格子の電位分布の均一性は、◎又は○（優又は良）で、従来のエキスパンド格子の電位分布の均一性の×（不可）よりも優れていた。このことから、本発明の鉛蓄電池用格子では、従来のエキスパンド格子に対して格子全体の電位分布が均一化されていることが分かった。さらに、本発明の鉛蓄電池用格子の斜め骨の傾斜角度が０度又は８０度の場合の格子全体の電位分布の均一性が○（良）に対して、本発明の鉛蓄電池用格子の斜め骨の傾斜角度が５度から６０度の範囲では、電位分布の均一性が◎（優）であった。このことから、本発明の鉛蓄電池用格子の斜め骨の傾斜角度が５度から６０度の範囲にあれば、電位分布がより一層均一化されることがわかった。
【００４１】
このように本発明の鉛蓄電池用格子を鉛蓄電池に用いることで、従来のエキスパンド格子と同程度の鉛質量とすれば、従来のエキスパンド格子を用いた場合よりも高率放電性能（コールドクランキング電流、低温ハイレート放電性能）を向上させることができる。一方で、本発明の鉛蓄電池用極板を鉛蓄電池に用いることで、従来のエキスパンド格子を用いた場合と同程度の高率放電性能（コールドクランキング電流、低温ハイレート放電性能）が、鉛質量の少ない極板によって実現することができる。
【００４２】
また、上述した従来のエキスパンド格子及び本発明の鉛蓄電池用格子の伸び解析を行った結果を表２に示す。
【表２】
【００４３】
2014038123.tif 000016
【００４４】
従来のエキスパンド格子の幅方向（左右方向）の格子伸び量の割合、及び高さ方向（上下方向）の格子伸び量の割合をそれぞれ１００％とすると、本発明の鉛蓄電池用格子においては、従来のエキスパンド格子に対して幅方向の格子伸び量の割合が５０％から８０％の範囲、高さ方向の格子伸び量の割合が４３％から５７％の範囲までそれぞれ低下した。このことから、本発明の鉛蓄電池用格子では、幅方向及び高さ方向ともに格子伸び量が低減されていることが分かった。したがって、本発明の格子を適用した鉛蓄電池は、ＪＩＳ５３０１で定められている軽負荷寿命試験に準じた周囲温度７５℃のサイクル寿命試験のサイクル数が増加するなど、サイクル寿命性能を向上させることができる。
【００４５】
このように構成した本実施形態に係る格子１によれば、耳部２１の下方にメイン縦骨３Ｘを有しているので、耳部２１と枠骨２の下辺部２ｂとを距離を短くすることができる。また、少なくともメイン縦骨３Ｘから斜め下方に延びる複数の斜め骨４を有しているので、メイン縦骨３Ｘの側方部分で生じた電流がメイン縦骨３Ｘ又は耳部２１へ至る経路を短くすることができる。さらに、複数の斜め骨４が、平面視においてメイン縦骨３Ｘを中心に概略ハの字状に形成されているので、メイン縦骨３Ｘの左右両側で生じた電流をメイン縦骨３Ｘ又は耳部２１へ至る経路を短くすることができる。さらに、メイン縦骨３Ｘと斜め骨４から画定される空間部の形状が概略四角形になっているので、三角形の場合と比較して、耳部２から遠ざかる迂回経路を減らすことができる。したがって、格子１全体において、電気抵抗を小さくすることができ、電極板における電位分布を均一化することができる。また、概略矩形状をなす枠骨２を有することから、機械的強度を向上させることができる。
【００４６】
また本実施形態の格子１は、複数の縦骨３及び複数の斜め骨４からなり、枠骨２の上辺部２ａと略平行な横骨を有さない構成であるので、メイン縦骨３Ｘの左右両側で生じた電流の経路が、縦骨３からなる上方へ向かう経路及び斜め骨４からなる斜め上方に向かう経路のみとなるため、メイン縦骨３Ｘ及び上辺部２ａを介して耳部２１へ至る経路を短くすることができ、電気抵抗を小さくすることができる。
【００４７】
また、格子１を打ち抜き加工により形成することで、鋳造加工により形成した場合に比べて、格子厚さをより薄く（格子質量をより軽く）することができる。したがって、格子材料を少なくして、コストを低減することができる。この格子厚さに差が生じる理由は、金属組織が異なることによる腐食形態の違いが挙げられる。一般的に、鋳造格子は、結晶粒が大きく、腐食が結晶粒界に入り込むように進行するため、腐食率が小さいうちに破断する特性がある。一方、圧延シートを打ち抜いて作製した打ち抜き格子は、スラブ作製後に圧延加工が入ることによって、スラブ中の大きな結晶粒が圧延方向に引き伸ばされ、格子を破断させるような結晶粒界がなくなって、腐食は格子表面から順次進む特性がある。この特性によって、圧延シートから作製する打ち抜き格子は、鋳造格子と比較して、格子厚さをより薄くすることができる。
【００４８】
なお、格子１は、打ち抜き加工や鋳造方法により、以下のように製造される。矩形状をなす枠骨を形成し、前記枠骨の第１辺部に接続されて枠外に突出した耳部を形成し、前記第１辺部の前記耳部との接続部から、前記第１辺部と対向する第２辺部まで延びるメイン骨を形成し、前記第１辺部から前記第２辺部まで延びるサブ骨を形成し、少なくとも前記メイン骨から両側に向かって分岐し、前記第２辺部側に向かって斜めに延びる複数の斜め骨を形成し、前記複数の斜め骨を、前記メイン骨の延在方向に間隔をあけて配置し、前記メイン骨及び前記サブ骨を辺の一部として画定される複数の空間部の形状を、少なくとも一部において概略四角形に形成する。
【００４９】
なお、本発明は前記実施形態に限られるものではない。
例えば、前記実施形態では、メイン縦骨３Ｘが１本の縦骨３であり、当該メイン縦骨３Ｘから複数の斜め骨４が延びる構成とされているが、図４に示すように、メイン縦骨３Ｘを複数（図４では２本）の縦骨３として、これら複数のメイン縦骨３Ｘから複数の斜め骨４が延びる構成としても良い。
【００５０】
また、図５に示すように、枠骨２の上辺部２ａが、平面視において、耳部２１に向かうに連れて高さ寸法が大きくなる形状としても良い。具体的には、枠骨２の上辺部２ａの下面が、両端部から耳部２１に向かうに連れて下側に傾斜した概略Ｖ字状をなすものである。これにより、格子１の機械的強度を向上させることができるだけでなく、電極板における電位分布をより均一にすることができる。
【００５１】
また、メイン縦骨３Ｘだけでなく、その他の縦骨３も上方から下方に行くに従って幅寸法が小さくなる形状としても良い。なお、図５においては、メイン縦骨３Ｘの左右両側各３本の縦骨３を上方から下方に行くに従って幅寸法が小さくなる形状とした場合を示している。
【００５２】
さらに、前記実施形態では、メイン縦骨３Ｘの左側の複数の斜め骨４の傾斜角度（例えば４５度）及びメイン縦骨３Ｘの右側の複数の斜め骨４の傾斜角度（例えば４５度）が同じであったが、左右両側で斜め骨４の傾斜角度を異ならせるようにしても良い。つまり、例えばメイン縦骨３Ｘの左側の複数の斜め骨４の傾斜角度を４５度として、メイン縦骨３Ｘの右側の複数の斜め骨４の傾斜角度を６０度としても良い。
【００５３】
加えて、前記実施形態では、斜め骨４の傾斜角度が４５度であったが、その他の傾斜角度であっても良い。図６に示すように、斜め骨４の傾斜角度が図６の左右方向に対して５度（メイン縦骨３Ｘに対して８５度）であっても良いし、図７に示すように、傾斜角度が６０度（メイン縦骨に対して３０度）であっても良い。
【００５４】
その上、前記実施形態では、左右両側の斜め骨４の接続部が高さ方向において同一であったが、図８及び図９に示すように、高さ方向においてずれていても良い。
【００５５】
また、前記実施形態では、全ての斜め骨４が、枠骨２の下辺部２ｂ又は側辺部２ｃ、２ｄに接続されていたが、一部の斜め骨４が、枠骨２の下辺部２ｂ又は側辺部２ｃ、２ｄに接続されない構成としても良い。例えば、図１０に示すように、複数の斜め骨４のうち、直線的に延在したときに、枠骨２の側辺部２ｃ、２ｄと交わるものは、前記実施形態と同様に、側辺部２ｃ、２ｄと接続される。一方で、複数の斜め骨４のうち、直線的に延在したときに、枠骨２の下辺部２ｂと交わるものは、下辺部２ｂと交わる直前又はそれ以前の縦骨３と接続され、下辺部２ｂと交わる直前又はそれ以前の縦骨３に斜め骨４の端部４ｅが形成される。この場合、下辺部２ｂを辺の一部として画定される複数の空間部の形状は概略四角形となる。そして、メイン縦骨３Ｘから分岐した複数の斜め骨４ｍの、メイン縦骨３Ｘに対する傾き角度は、枠骨２の上辺部２ａから離れるに従って大きくなっている。図１０に示す格子では、上辺部２ａに最も近い斜め骨４ｍの傾き角度が３０度（メイン縦骨３Ｘに対して６０度）であり、最も離れた斜め骨４ｍの傾き角度が２０度（メイン縦骨３Ｘに対して７０度）となっている。これならば、集電された電気量に応じて最適な斜め骨４ｍの傾き角度とすることができる。これにより、格子１の電位分布をより一層均一にすることができるとともに、格子への活物質の充填性をより一層向上させることができる。
【００５６】
また、前記実施形態では、メイン縦骨３Ｘから斜め下方の延びる複数の斜め骨４（４ｍ）と、枠骨２の上辺部２ａから斜め下方に延びる複数の斜め骨４（４ｎ）とを有しているが、上辺部２ａから斜め下方に延びる複数の斜め骨４（４ｎ）を有さないものであっても良い。
【００５７】
また、前記実施形態では、鉛蓄電池に用いられる格子を例に挙げて説明したが、これに限られず、ニッケル水素電池など活物質を充填する格子に適用することができる。
【００５８】
さらに、前記実施形態では、格子１は、打ち抜き加工により形成されていたが、鋳造加工により形成されてもよい。
【００５９】
加えて、前記実施形態の格子は、枠骨の四辺のうち上辺部を第１辺部、下辺部を第２辺部として構成したものであったが、枠骨の四辺のうち左右側辺部の一方を第１辺部、他方を第２辺部として構成したものであっても良い。
【００６０】
その他、本発明は前記実施形態に限られず、その趣旨を逸脱しない範囲で種々の変形が可能である。
【符号の説明】
【００６１】
１・・・格子
２・・・枠骨
２ａ・・・上辺部
２ｂ・・・下辺部
２１・・・耳部
３・・・縦骨
３Ｘ・・・メイン縦骨
４・・・斜め骨
５・・・接続部
【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
矩形状をなす枠骨と、
前記枠骨の第１辺部に接続されて枠外に突出した耳部と、
前記第１辺部の前記耳部との接続部から、前記第１辺部と対向する第２辺部まで延びる１又は複数の骨から選ばれたメイン骨と、
前記メイン骨の両側に位置して前記第１辺部から前記第２辺部まで延びるサブ骨と、
少なくとも一部は前記メイン骨から両側に向かって分岐し、前記第２辺部側に向かって斜めに延び、少なくとも一部は前記枠骨に至るまで延びる複数の斜め骨とを有し、
前記複数の斜め骨が、前記メイン骨の延在方向に間隔をあけて配置されており、
前記メイン骨、前記メイン骨に隣接する前記サブ骨及び互いに隣接する前記斜め骨から画定され、前記メイン骨の両側それぞれに形成される１又は複数の空間部の形状が、概略四角形である蓄電池用格子。
【請求項２】
前記複数の斜め骨の一部が、前記枠骨の前記第１辺部から分岐している請求項１記載の蓄電池用格子。
【請求項３】
前記複数の斜め骨の一部が、前記枠骨の前記第１辺部における前記耳部との接続部から分岐している請求項１又は２記載の蓄電池用格子。
【請求項４】
前記サブ骨は、前記枠骨の前記第１辺部の延在方向に間隔をあけて複数配置されており、
前記複数のサブ骨の間隔が、前記メイン骨から離れるに従って大きくなる請求項１乃至３の何れかに記載の蓄電池用格子。
【請求項５】
前記枠骨の前記第２辺部、前記サブ骨及び前記斜め骨を辺の一部として画定される複数の空間部の形状が、概略四角形である請求項４に記載の蓄電池用格子。
【請求項６】
前記メイン骨は、前記枠骨の前記第１辺部及び前記第２辺部に対して直交して配置されている請求項１乃至５の何れかに記載の蓄電池用格子。
【請求項７】
前記枠骨の前記第１辺部と平行な横骨を有さない請求項１乃至６の何れかに記載の蓄電池用格子。
【請求項８】
前記複数の斜め骨のうち前記メイン骨から分岐した複数の斜め骨の間隔が、前記枠骨の前記第１辺部から離れるに従って大きくなる請求項１乃至７の何れかに記載の蓄電池用格子。
【請求項９】
前記複数の斜め骨のうち前記メイン骨から分岐した複数の斜め骨の、前記メイン骨に対する傾き角度が、前記枠骨の前記第１辺部から離れるに従って大きくなる１乃至８の何れかに記載の蓄電池用格子。
【請求項１０】
前記斜め骨の傾斜角度が、５度〜６０度である請求項１乃至９の何れかに記載の蓄電池用格子。
【請求項１１】
前記メイン骨が、平面視において、前記耳部から離れるに従って幅寸法が小さくなる形状である請求項１乃至１０の何れかに記載の蓄電池用格子。
【請求項１２】
前記枠骨の前記第１辺部が、平面視において、前記耳部に向かうに連れて幅寸法が大きくなる形状である請求項１乃至１１の何れかに記載の蓄電池用格子。
【請求項１３】
請求項１乃至１２の何れかに記載の蓄電池用格子を用いた蓄電池。
【請求項１４】
前記蓄電池用格子が、鉛合金からなる請求項１３記載の蓄電池。
【請求項１５】
前記蓄電池用格子が、打ち抜き加工により形成される請求項１３又は１４記載の蓄電池。
【請求項１６】
矩形状をなす枠骨を形成し、
前記枠骨の第１辺部に接続されて枠外に突出した耳部を形成し、
前記第１辺部の前記耳部との接続部から、前記第１辺部と対向する第２辺部まで延びる１又は複数の骨から選ばれたメイン骨を形成し、
前記メイン骨の両側に位置して前記第１辺部から前記第２辺部まで延びるサブ骨を形成し、
少なくとも一部は前記メイン骨から両側に向かって分岐し、前記第２辺部側に向かって斜めに延び、少なくとも一部は前記枠骨に至るまで延びる複数の斜め骨を形成し、
前記複数の斜め骨を、前記メイン骨の延在方向に間隔をあけて配置し、
前記メイン骨、前記メイン骨に隣接する前記サブ骨及び互いに隣接する前記斜め骨から画定され、前記メイン骨の両側それぞれに形成される１又は複数の空間部の形状を、概略四角形に形成する蓄電池用格子の製造方法。
【手続補正２】
【補正対象書類名】明細書
【補正対象項目名】０００８
【補正方法】変更
【補正の内容】
【０００８】
すなわち本発明に係る蓄電池用格子は、矩形状をなす枠骨と、前記枠骨の第１辺部に接続されて枠外に突出した耳部と、前記第１辺部の前記耳部との接続部から、前記第１辺部と対向する第２辺部まで延びる１又は複数の骨から選ばれたメイン骨と、前記メイン骨の両側に位置して前記第１辺部から前記第２辺部まで延びるサブ骨と、少なくとも一部は前記メイン骨から両側に向かって分岐し、前記第２辺部側に向かって斜めに延び、少なくとも一部は前記枠骨に至るまで延びる複数の斜め骨とを有し、前記複数の斜め骨が、前記メイン骨の延在方向に間隔をあけて配置されており、前記メイン骨、前記メイン骨に隣接する前記サブ骨及び互いに隣接する前記斜め骨から画定され、前記メイン骨の両側それぞれに形成される１又は複数の空間部の形状が、概略四角形であることを特徴とする。
また、本発明に係る蓄電池用格子の製造方法は、矩形状をなす枠骨を形成し、前記枠骨の第１辺部に接続されて枠外に突出した耳部を形成し、前記第１辺部の前記耳部との接続部から、前記第１辺部と対向する第２辺部まで延びる１又は複数の骨から選ばれたメイン骨を形成し、前記メイン骨の両側に位置して前記第１辺部から前記第２辺部まで延びるサブ骨を形成し、少なくとも一部は前記メイン骨から両側に向かって分岐し、前記第２辺部側に向かって斜めに延び、少なくとも一部は前記枠骨に至るまで延びる複数の斜め骨を形成し、前記複数の斜め骨を、前記メイン骨の延在方向に間隔をあけて配置し、前記メイン骨、前記メイン骨に隣接する前記サブ骨及び互いに隣接する前記斜め骨から画定され、前記メイン骨の両側それぞれに形成される１又は複数の空間部の形状を、概略四角形に形成することを特徴とする。
【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
矩形状をなす枠骨と、
前記枠骨の第１辺部に接続されて枠外に突出した耳部と、
前記第１辺部の前記耳部との接続部から、前記第１辺部と対向する第２辺部まで延びる１又は複数の骨から選ばれたメイン骨と、
前記メイン骨の両側に位置して前記第１辺部から前記第２辺部まで延びるサブ骨と、
少なくとも一部は前記メイン骨から両側に向かって分岐し、前記第２辺部側に向かって斜めに延び、少なくとも一部は前記枠骨に至るまで延びる複数の斜め骨とを有し、
前記複数の斜め骨が、前記メイン骨の延在方向に間隔をあけて配置されており、
前記メイン骨から両側に分岐した複数の斜め骨のうち前記枠骨の前記第１辺部及び前記第２辺部以外の辺部に向かって延びる斜め骨が、前記枠骨の前記第１辺部及び前記第２辺部以外の辺部まで直線状に延びて接続されており、
前記メイン骨と、前記メイン骨に隣接する前記サブ骨と、前記メイン骨から分岐した斜め骨であって互いに隣接する斜め骨とから画定され、前記メイン骨の両側それぞれに形成される複数の空間部の形状が、概略四角形である蓄電池用格子。
【請求項２】
前記複数の斜め骨の一部が、前記枠骨の前記第１辺部から分岐している請求項１記載の蓄電池用格子。
【請求項３】
前記複数の斜め骨の一部が、前記枠骨の前記第１辺部における前記耳部との接続部から分岐している請求項１又は２記載の蓄電池用格子。
【請求項４】
前記サブ骨は、前記枠骨の前記第１辺部の延在方向に間隔をあけて複数配置されており、
前記複数のサブ骨の間隔が、前記メイン骨から離れるに従って大きくなる請求項１乃至３の何れかに記載の蓄電池用格子。
【請求項５】
前記枠骨の前記第２辺部、前記サブ骨及び前記斜め骨を辺の一部として画定される複数の空間部の形状が、概略四角形である請求項４に記載の蓄電池用格子。
【請求項６】
前記メイン骨は、前記枠骨の前記第１辺部及び前記第２辺部に対して直交して配置されている請求項１乃至５の何れかに記載の蓄電池用格子。
【請求項７】
前記枠骨の前記第１辺部と平行な横骨を有さない請求項１乃至６の何れかに記載の蓄電池用格子。
【請求項８】
前記複数の斜め骨のうち前記メイン骨から分岐した複数の斜め骨の間隔が、前記枠骨の前記第１辺部から離れるに従って大きくなる請求項１乃至７の何れかに記載の蓄電池用格子。
【請求項９】
前記複数の斜め骨のうち前記メイン骨から分岐した複数の斜め骨の、前記メイン骨に対する傾き角度が、前記枠骨の前記第１辺部から離れるに従って大きくなる１乃至８の何れかに記載の蓄電池用格子。
【請求項１０】
前記斜め骨の傾斜角度が、５度〜６０度である請求項１乃至９の何れかに記載の蓄電池用格子。
【請求項１１】
前記メイン骨が、平面視において、前記耳部から離れるに従って幅寸法が小さくなる形状である請求項１乃至１０の何れかに記載の蓄電池用格子。
【請求項１２】
前記枠骨の前記第１辺部が、平面視において、前記耳部に向かうに連れて幅寸法が大きくなる形状である請求項１乃至１１の何れかに記載の蓄電池用格子。
【請求項１３】
請求項１乃至１２の何れかに記載の蓄電池用格子を用いた蓄電池。
【請求項１４】
前記蓄電池用格子が、鉛合金からなる請求項１３記載の蓄電池。
【請求項１５】
前記蓄電池用格子が、打ち抜き加工により形成される請求項１３又は１４記載の蓄電池。
【請求項１６】
矩形状をなす枠骨を形成し、
前記枠骨の第１辺部に接続されて枠外に突出した耳部を形成し、
前記第１辺部の前記耳部との接続部から、前記第１辺部と対向する第２辺部まで延びる１又は複数の骨から選ばれたメイン骨を形成し、
前記メイン骨の両側に位置して前記第１辺部から前記第２辺部まで延びるサブ骨を形成し、
少なくとも一部は前記メイン骨から両側に向かって分岐し、前記第２辺部側に向かって斜めに延び、少なくとも一部は前記枠骨に至るまで延びる複数の斜め骨を形成し、
前記複数の斜め骨を、前記メイン骨の延在方向に間隔をあけて配置し、
前記メイン骨から両側に分岐した複数の斜め骨のうち前記枠骨の前記第１辺部及び前記第２辺部以外の辺部に向かって延びる斜め骨を、前記枠骨の前記第１辺部及び前記第２辺部以外の辺部まで直線状に延びて接続される構成とし、
前記メイン骨と、前記メイン骨に隣接する前記サブ骨と、前記メイン骨から分岐した斜め骨であって互いに隣接する斜め骨とから画定され、前記メイン骨の両側それぞれに形成される複数の空間部の形状を、概略四角形に形成する蓄電池用格子の製造方法。
【手続補正２】
【補正対象書類名】明細書
【補正対象項目名】０００８
【補正方法】変更
【補正の内容】
【０００８】
すなわち本発明に係る蓄電池用格子は、矩形状をなす枠骨と、前記枠骨の第１辺部に接続されて枠外に突出した耳部と、前記第１辺部の前記耳部との接続部から、前記第１辺部と対向する第２辺部まで延びる１又は複数の骨から選ばれたメイン骨と、前記メイン骨の両側に位置して前記第１辺部から前記第２辺部まで延びるサブ骨と、少なくとも一部は前記メイン骨から両側に向かって分岐し、前記第２辺部側に向かって斜めに延び、少なくとも一部は前記枠骨に至るまで延びる複数の斜め骨とを有し、前記複数の斜め骨が、前記メイン骨の延在方向に間隔をあけて配置されており、前記メイン骨から両側に分岐した複数の斜め骨のうち前記枠骨の前記第１辺部及び前記第２辺部以外の辺部に向かって延びる斜め骨が、前記枠骨の前記第１辺部及び前記第２辺部以外の辺部まで直線状に延びて接続されており、前記メイン骨と、前記メイン骨に隣接する前記サブ骨と、前記メイン骨から分岐した斜め骨であって互いに隣接する斜め骨とから画定され、前記メイン骨の両側それぞれに形成される複数の空間部の形状が、概略四角形であることを特徴とする。
また、本発明に係る蓄電池用格子の製造方法は、矩形状をなす枠骨を形成し、前記枠骨の第１辺部に接続されて枠外に突出した耳部を形成し、前記第１辺部の前記耳部との接続部から、前記第１辺部と対向する第２辺部まで延びる１又は複数の骨から選ばれたメイン骨を形成し、前記メイン骨の両側に位置して前記第１辺部から前記第２辺部まで延びるサブ骨を形成し、少なくとも一部は前記メイン骨から両側に向かって分岐し、前記第２辺部側に向かって斜めに延び、少なくとも一部は前記枠骨に至るまで延びる複数の斜め骨を形成し、前記複数の斜め骨を、前記メイン骨の延在方向に間隔をあけて配置し、前記メイン骨から両側に分岐した複数の斜め骨のうち前記枠骨の前記第１辺部及び前記第２辺部以外の辺部に向かって延びる斜め骨を、前記枠骨の前記第１辺部及び前記第２辺部以外の辺部まで直線状に延びて接続される構成とし、前記メイン骨と、前記メイン骨に隣接する前記サブ骨と、前記メイン骨から分岐した斜め骨であって互いに隣接する斜め骨とから画定され、前記メイン骨の両側それぞれに形成される複数の空間部の形状を、概略四角形に形成することを特徴とする。
【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
矩形状をなす枠骨と、
前記枠骨の第１辺部に接続されて枠外に突出した耳部と、
前記第１辺部の前記耳部との接続部から、前記第１辺部と対向する第２辺部まで延びる１又は複数の骨から選ばれたメイン骨と、
前記メイン骨の両側に位置して前記第１辺部から前記第２辺部まで延びるサブ骨と、
少なくとも一部は前記メイン骨から両側に向かって分岐し、前記第２辺部側に向かって斜めに延び、少なくとも一部は前記枠骨に至るまで延びる複数の斜め骨とを有し、
前記複数の斜め骨が、前記メイン骨の延在方向に間隔をあけて配置されており、
前記メイン骨から両側に分岐した複数の斜め骨のうち前記枠骨の前記第１辺部及び前記第２辺部以外の辺部に向かって延びる斜め骨が、前記枠骨の前記第１辺部及び前記第２辺部以外の辺部まで直線状に延びて接続されており、
前記メイン骨と、前記メイン骨に隣接する前記サブ骨と、前記メイン骨から分岐した斜め骨であって互いに隣接する斜め骨とから画定され、前記メイン骨の両側それぞれに形成される複数の空間部の形状が、概略四角形である蓄電池用格子。
【請求項２】
前記複数の斜め骨の一部が、前記枠骨の前記第１辺部から分岐している請求項１記載の蓄電池用格子。
【請求項３】
前記複数の斜め骨の一部が、前記枠骨の前記第１辺部における前記耳部との接続部から分岐している請求項１又は２記載の蓄電池用格子。
【請求項４】
前記サブ骨は、前記枠骨の前記第１辺部の延在方向に間隔をあけて複数配置されており、
前記複数のサブ骨の間隔が、前記メイン骨から離れるに従って大きくなる請求項１乃至３の何れかに記載の蓄電池用格子。
【請求項５】
前記枠骨の前記第２辺部、前記サブ骨及び前記斜め骨を辺の一部として画定される複数の空間部の形状が、概略四角形である請求項４に記載の蓄電池用格子。
【請求項６】
前記メイン骨は、前記枠骨の前記第１辺部及び前記第２辺部に対して直交して配置されている請求項１乃至５の何れかに記載の蓄電池用格子。
【請求項７】
前記枠骨の前記第１辺部と平行な横骨を有さない請求項１乃至６の何れかに記載の蓄電池用格子。
【請求項８】
前記複数の斜め骨のうち前記メイン骨から分岐した複数の斜め骨の間隔が、前記枠骨の前記第１辺部から離れるに従って大きくなる請求項１乃至７の何れかに記載の蓄電池用格子。
【請求項９】
前記複数の斜め骨のうち前記メイン骨から分岐した複数の斜め骨の、前記メイン骨に対する傾き角度が、前記枠骨の前記第１辺部から離れるに従って大きくなる請求項１乃至８の何れかに記載の蓄電池用格子。
【請求項１０】
前記斜め骨の傾斜角度が、５度〜６０度である請求項１乃至９の何れかに記載の蓄電池用格子。
【請求項１１】
前記メイン骨が、平面視において、前記耳部から離れるに従って幅寸法が小さくなる形状である請求項１乃至１０の何れかに記載の蓄電池用格子。
【請求項１２】
前記枠骨の前記第１辺部が、平面視において、前記耳部に向かうに連れて幅寸法が大きくなる形状である請求項１乃至１１の何れかに記載の蓄電池用格子。
【請求項１３】
請求項１乃至１２の何れかに記載の蓄電池用格子を用いた蓄電池。
【請求項１４】
前記蓄電池用格子が、鉛合金からなる請求項１３記載の蓄電池。
【請求項１５】
前記蓄電池用格子が、打ち抜き加工により形成される請求項１３又は１４記載の蓄電池。
【請求項１６】
矩形状をなす枠骨を形成し、
前記枠骨の第１辺部に接続されて枠外に突出した耳部を形成し、
前記第１辺部の前記耳部との接続部から、前記第１辺部と対向する第２辺部まで延びる１又は複数の骨から選ばれたメイン骨を形成し、
前記メイン骨の両側に位置して前記第１辺部から前記第２辺部まで延びるサブ骨を形成し、
少なくとも一部は前記メイン骨から両側に向かって分岐し、前記第２辺部側に向かって斜めに延び、少なくとも一部は前記枠骨に至るまで延びる複数の斜め骨を形成し、
前記複数の斜め骨を、前記メイン骨の延在方向に間隔をあけて配置し、
前記メイン骨から両側に分岐した複数の斜め骨のうち前記枠骨の前記第１辺部及び前記第２辺部以外の辺部に向かって延びる斜め骨を、前記枠骨の前記第１辺部及び前記第２辺部以外の辺部まで直線状に延びて接続される構成とし、
前記メイン骨と、前記メイン骨に隣接する前記サブ骨と、前記メイン骨から分岐した斜め骨であって互いに隣接する斜め骨とから画定され、前記メイン骨の両側それぞれに形成される複数の空間部の形状を、概略四角形に形成する蓄電池用格子の製造方法。
【国際調査報告】
2014038123.tif 000017
2014038123.tif 000018
2014038123.tif 000019
2014038123.tif 000020